(57)【要約】【課題】本発明の目的は、汚れがつきやすい処置部を効率よく洗浄できるようにした外科用処置具の洗浄装置を提供することにある。【解決手段】本発明は、外科用処置具に着脱自在に装着され、その先端作用部２１を取り囲む形状の洗浄カバー８１を設け、上記洗浄カバー８１には上記外科用処置具の先端作用部２１側へ向けて開口した噴出口８７を設け、上記噴出口８７から上記洗浄カバー８１内に洗浄水を供給し、上記洗浄カバー８１内に配置した外科用処置具の先端作用部２１を洗浄するようにした洗浄装置である。【選択図】　　図８
2004105283.tif 000002
【特許請求の範囲】
【請求項１】
処置部を有した外科用処置具の洗浄装置において、
上記外科用処置具に着脱自在に装着され、上記処置部を囲む洗浄カバーと、
この洗浄カバーに設けられ、上記外科用処置具に係着し、上記洗浄カバーを上記外科用処置具に固定する固定手段と、
上記洗浄カバーに設けられ、上記外科用処置具の処置部側へ向けて開口した送水口と、
上記洗浄カバーに設けられ、上記送水口に通じる供給路に連通すると共に送水源に接続するための供給口金と、
上記洗浄カバーに設けられ、上記送水口から上記洗浄カバー内に送水された洗浄水を上記洗浄カバーの外へ排出する排出口と
を具備したことを特徴とする外科用処置具の洗浄装置。
【請求項２】
上記洗浄カバーは、上記外科用処置具の中心軸と同軸に配置され、内外２つのパイプを有し、両パイプの間に隙間を形成し、この隙間により上記供給路を形成したことを特徴とする請求項１に記載の外科用処置具の洗浄装置。
【請求項３】
処置部を有した外科用処置具の洗浄装置において、
上記外科用処置具に着脱自在に装着され、上記処置部を囲む筒状の洗浄カバーと、
この洗浄カバーの一端に設けられ、上記外科用処置具に係着し、上記洗浄カバーを上記外科用処置具に固定する固定手段と、
上記洗浄カバーの周壁部に設けられ、上記外科用処置具の処置部の設置位置を中心として放射状に配置された複数の送水口と、
上記洗浄カバーに設けられ、上記各送水口にそれぞれ個別的に連通すると共に送水源に接続するための複数の供給口金と、
上記洗浄カバーの他端に設けられ、上記送水口から上記洗浄カバー内に送水された洗浄水を上記洗浄カバーの外へ排出する排出口と
を具備したことを特徴とする外科用処置具の洗浄装置。
【請求項４】
処置部を有した外科用処置具の洗浄装置において、
上記外科用処置具に着脱自在に装着され、上記処置部を取り囲む筒状の洗浄カバーと、
この洗浄カバーの一端側部分に設けられ、上記外科用処置具に係着し、上記洗浄カバーを上記外科用処置具に固定する固定手段と、
上記洗浄カバーの他端側部分に上記外科用処置具の処置部に向けて設けられた送水口と、
上記洗浄カバーに設けられ、上記送水口に連通する共に送水源に接続するための複数の供給口金と、
上記洗浄カバーに設けられ、上記洗浄カバー内に送水された洗浄水を上記洗浄カバーの外へ排出する複数の排出口と
を具備したことを特徴とする外科用処置具の洗浄装置。
【発明の詳細な説明】
【０００１】
【発明の属する技術分野】
本発明は、挿入部に処置部を有した外科用処置具を洗浄するための装置に関する。
【０００２】
【従来の技術】
特開２０００−２９６１３５号公報（特許文献１）には外科用処置具としての超音波処置具が提案されている。一般に超音波処置具は挿入部を有するハンドルユニットと、このハンドルユニットに装着されるプローブユニットと、プローブを駆動する振動子ユニットとを備える。ハンドルユニットの挿入部先端には超音波処置具の把持用開閉部材としてのジョーが取り付けられ、このジョーはハンドルユニットの挿入部に形成したチャンネルに挿通した操作ロッドに連結され、ハンドルユニットのハンドルによって操作ロッドを進退することにより回動操作される。ハンドルユニットの挿入部にはプローブユニットのプローブが挿通され、プローブの先端部がジョーに向き合っている。そして、プローブの先端部とジョーにより組織を処置する。
【０００３】
【特許文献１】
特開２０００−２９６１３５号公報（第５〜６頁、図６）
【０００４】
【発明が解決しようとする課題】
この種の超音波処置具は医療器具であるため、使用する都度、洗浄しておく必要がある。超音波処置具を洗浄する場合、従来は流水中でのブラシ洗浄やシャワー洗浄などの簡易な洗浄方法で行なわれてきた。
【０００５】
しかし、このような従来の洗浄方法では特に複雑な構造である処置部分の洗浄効率が悪く、その処置部の洗浄には多くの手間と長い時間を要しており、洗浄作業の能率がかなり悪いものであった。
【０００６】
本発明は上記課題に着目してなされたもので、その目的とするところは、外科用処置具の汚れがつきやすい処置部を効率よく洗浄できるようにした外科用処置具の洗浄装置を提供することにある。
【０００７】
【課題を解決するための手段】
請求項１に係る発明は、処置部を有した外科用処置具の洗浄装置において、上記外科用処置具に着脱自在に装着され、上記処置部を囲む洗浄カバーと、この洗浄カバーに設けられ、上記外科用処置具に係着し、上記洗浄カバーを上記外科用処置具に固定する固定手段と、上記洗浄カバーに設けられ、上記外科用処置具の処置部側へ向けて開口した送水口と、上記洗浄カバーに設けられ、上記送水口に通じる供給路に連通すると共に送水源に接続するための供給口金と、上記洗浄カバーに設けられ、上記送水口から上記洗浄カバー内に送水された洗浄水を上記洗浄カバーの外へ排出する排出口とを具備したことを特徴とする外科用処置具の洗浄装置である。
【０００８】
請求項２に係る発明は、上記洗浄カバーは、上記外科用処置具の中心軸と同軸に配置され、内外２つのパイプを有し、両パイプの間に隙間を形成し、この隙間により上記供給路を形成したことを特徴とする請求項１に記載の外科用処置具の洗浄装置である。
請求項３に係る発明は、処置部を有した外科用処置具の洗浄装置において、上記外科用処置具に着脱自在に装着され、上記処置部を囲む筒状の洗浄カバーと、この洗浄カバーの一端に設けられ、上記外科用処置具に係着し、上記洗浄カバーを上記外科用処置具に固定する固定手段と、上記洗浄カバーの周壁部に設けられ、上記外科用処置具の処置部の設置位置を中心として放射状に配置された複数の送水口と、上記洗浄カバーに設けられ、上記各送水口にそれぞれ個別的に連通すると共に送水源に接続するための複数の供給口金と、上記洗浄カバーの他端に設けられ、上記送水口から上記洗浄カバー内に送水された洗浄水を上記洗浄カバーの外へ排出する排出口とを具備したことを特徴とする外科用処置具の洗浄装置である。
請求項４に係る発明は、処置部を有した外科用処置具の洗浄装置において、上記外科用処置具に着脱自在に装着され、上記処置部を取り囲む筒状の洗浄カバーと、この洗浄カバーの一端側部分に設けられ、上記外科用処置具に係着し、上記洗浄カバーを上記外科用処置具に固定する固定手段と、上記洗浄カバーの他端側部分に上記外科用処置具の処置部に向けて設けられた送水口と、上記洗浄カバーに設けられ、上記送水口に連通する共に送水源に接続するための複数の供給口金と、上記洗浄カバーに設けられ、上記洗浄カバー内に送水された洗浄水を上記洗浄カバーの外へ排出する複数の排出口とを具備したことを特徴とする外科用処置具の洗浄装置である。
【０００９】
【発明の実施の形態】
（第１の実施形態）
図１乃至図８を参照して本発明の第１の実施形態に係る、外科用処置具の洗浄装置について説明する。
【００１０】
本実施形態において洗浄対象とする外科用処置具は超音波処置装置１であり、この超音波処置装置１は図２に示すハンドルユニット２と、図３に示すプローブユニット３と、同じく図１及び図３に示す振動子ユニット４とを備える。各ユニット２，３，４は超音波処置装置１を使用するときに図１に示すように組み立てられる。
【００１１】
上記振動子ユニット４は図３に示すように円筒状の外装カバー５を有し、この外装カバー５内には図示しない超音波振動子とホーンを設けてある。振動子ユニット４の基端には図示しない電源装置に電気的に接続されるハンドピースコード７が接続されている。ハンドピースコード７を通じて電源装置から駆動用電力を上記超音波振動子に供給し、上記超音波振動子を駆動するようになっている。また、上記振動子ユニット４の前端周縁にはハンドルユニット２に連結する為の連結部９が形成されている。
【００１２】
図３に示すように、上記プローブユニット３は棒状の振動伝達部材１０を有しており、この棒状の振動伝達部材１０によって振動子ユニット４の超音波振動子で発生した超音波振動を先端処置部に伝達するようになっている。振動伝達部材１０は基端位置にホーンの先端に形成した雌ネジに対しねじ込まれる雄ネジ１１が形成されている。さらに振動伝達部材１０はホーンによって増幅された超音波振動の振幅をさらに第２の段階まで拡大する円錐状の基端側ホーン１２と、この基端側ホーン１２の先端側に位置した中間部１３と、この中間部１３の先端側に位置し、かつ基端側ホーン１２によって増幅された超音波振動の振幅を最終段階まで拡大する円錐状の先端側ホーン１４と、この先端側ホーン１４の先端側に位置した円柱状の先端部１５を形成している。超音波振動子で発生した超音波振動は振動子ユニット４のホーン、振動伝達部材１０における基端側ホーン１２及び先端側ホーン１４によって次第に増幅され、振動伝達部材１０の先端部１５に伝達される。振動伝達部材１０の中間部１３には伝達される超音波振動の先端側から２番目以降の節に位置してフランジ状の支持体１６が複数個設けられている。
【００１３】
ハンドルユニット２は図２に示すように、操作部１９と、この操作部１９に回転可能に取り付けられた長尺な外套管２０からなる挿入シース部１７と、この挿入シース部１７の先端に設けられた先端作用部（処置部）２１とを備える。ハンドルユニット２の操作部１９は操作部本体２２と、この操作部本体２２と一体に形成された固定ハンドル２３と、ハンドル枢支軸２４を介して操作部本体２２に回動可能に取り付けられた可動ハンドル２５とを有する。
【００１４】
図５に示すように、挿入シース部１７の基端部分はパイプ固定部材３１を介して操作部本体２２に設けた筒状の繋ぎ部材３２に固定的に連結されている。繋ぎ部材３２は固定リング３３により操作部本体２２に対して挿入部軸周りに回転可能に取り付けられている。また、図５に示すように繋ぎ部材３２には回転操作ノブ３４が固定され、この回転操作ノブ３４を回転操作することによって挿入シース部１７を回転操作することができる。
【００１５】
上記繋ぎ部材３２内には後述する操作ロッド６０を連結する筒状の駆動力伝達中間部材３８が挿入部軸方向へ移動自在に嵌め込まれている。駆動力伝達中間部材３８の後端部分にはピン３９が取り付けられ、このピン３９は繋ぎ部材３２に挿入部軸方向へ延びて切り欠き形成したガイド溝４１に嵌め込み係合し、駆動力伝達中間部材３８の回転を規制し、挿入部軸方向への移動のみを規制している。駆動力伝達中間部材３８の先端部外周にはＯリング４２が嵌め込まれていて、このＯリング４２によって駆動力伝達中間部材３８と繋ぎ部材３２の間を封止している。
【００１６】
さらに、図５に示すように、駆動力伝達中間部材３８にはスライダ受け部材４５の先端外周部分がねじ込まれ、両者は同軸的に固定されている。駆動力伝達中間部材３８の後端側外周にはスライダ部材４６がスライド自在に嵌合されている。駆動力伝達中間部材３８とスライダ部材４６の間におけるスライダ受け部材４５の外周にはバネ４７が巻装されている。
【００１７】
駆動力伝達中間部材３８の内面にはＯリング状の第１のパッキン４８が取り付けられていて、第１のパッキン４８はハンドルユニット２にプローブユニット３を装着したとき、そのプローブユニット３の振動伝達部材１０の外周に接合して振動伝達部材１０を保持すると共に両者の隙間を塞ぐようになっている。また、スライダ受け部材４５の手元側端にもＯリング状の第２のパッキン４９が取り付けられている。この第２のパッキン４９はプローブユニット３をハンドルユニット２に装着したとき、そのプローブユニット３の振動伝達部材１０の外周に接合して振動伝達部材１０を保持すると共に両者の隙間を塞ぐようになっている。
【００１８】
このようにパッキン４８，４９を設けたため、例えば、腹腔鏡下手術の際の気腹ガス等が挿入部先端から内部の隙間を通り、漏出するのを防止することができる。また、２つのパッキン４８，４９はゴム製で弾性があるため、超音波振動する振動伝達部材１０を無理なく安定的に支持することができる。
【００１９】
上記ハンドルユニット２の可動ハンドル２５には操作部本体２２内のスライダ部材４６と係合する係合ピン５１が設けられている。ハンドル枢支軸２４を中心として可動ハンドル２５を回動すると、可動ハンドル２５の動きが係合ピン５１を介してスライダ部材４６に伝わる。圧縮コイルバネ４７は常時圧縮付勢された状態で装着されているため、可動ハンドル２５に加えられた、ある一定以上の閉方向の操作力は圧縮コイルバネ４７が吸収し、スライダ受け部材４５に加わる過負荷を防止し、スライダ受け部材４５をスライド操作するようになっている。
【００２０】
図５に示すように、上記ハンドルユニット２の操作部本体２２における後端部内には振動子ユニット４を着脱自在に係着するための振動子接続部５２が設けられている。振動子接続部５２は筒状に形成された枠部材５３と筒状の接続部材５４を備え、枠部材５３と接続部材５４は操作部本体２２の内面に対しねじ込み固定されている。枠部材５３のねじ込み固定部分は接続部材５４よりも前方に位置するが、枠部材５３の後端部分は接続部材５４の内側において同心的に配置されている。また、枠部材５３と接続部材５４の間には上記ハンドルユニット２に上記振動子ユニット４を装着したとき、上記振動子ユニット４の円筒状外装カバー５の前端部分が嵌め込まれ、振動子ユニット４の連結部９は枠部材５３の先端係止部５５に嵌り込んで係止し、上記ハンドルユニット２に振動子ユニット４を固定できるようになっている。連結部９は例えばＣリングによって外方へ膨出する形に形成されている。上記枠部材５３の壁部には複数の通孔５６が適宜分散して設けられている。
【００２１】
次に、ハンドルユニット２の挿入シース部１７について説明する。図４（ａ）に示すように、上記挿入シース部１７の外套管２０は外パイプ（外套管）６１と内パイプ６２を備えてなり、外パイプ６１の外周は絶縁チューブ６３で電気的絶縁処理が施されている。上記挿入シース部１７の電気的絶縁はコーティングなどの処理手段で施すものであってもよい。外パイプ６１内はプローブユニット３の振動伝達部材１０を挿通するための主チャンネル６５と、操作ロッド６０が挿通される副チャンネル６６とが設けられている。また、図４（ｂ）に示すように、主チャンネル６５を形成する内パイプ６２は円形な断面形状部分の一部分を平らに潰して外パイプ６１の内面との間に隙間を形成し、この隙間を副チャンネル６６としている。副チャンネル６６に臨む内パイプ６２の部分には適宜の複数の個所に連通孔６７が形成され、主チャンネル６５と副チャンネル６６の間を連通するようになっている。
【００２２】
また、図４（ａ）に示すように、ハンドルユニット２の先端作用部（処置部）２１は外パイプ６１の先端部分に取り付けられた例えば金属製の先端チップ部材７１と、この先端チップ部材７１に対し枢支軸７２を介して回動可能に取り付けられた片開き型の保持部材７４を備え、この保持部材７４により把持部材７５を保持している。操作ロッド６０の先端は枢支軸７６を介して上記保持部材７４の基端部に連結されている。可動ハンドル２５を回動することにより操作ロッド６０を前後に移動すると、保持部材７４が回動し、先端作用部２１の開閉操作が行われる。
【００２３】
先端作用部２１は上記プローブユニット３の振動伝達部材１０における先端部１５と向き合って両者により処置対象の生体組織を把持し、振動伝達部材１０から処置対象の生体組織へ振動エネルギーを伝達するようになっている。
【００２４】
次に上記超音波処置装置１を洗浄するための洗浄装置８０について説明する。図６及び図７に示すように、洗浄装置８０は洗浄カバー８１を有する。この洗浄カバー８１は図７に示すように外パイプ８２と内パイプ８３を同心的な二重管状に配置して包囲用筒状体を構成して成り、外パイプ８２と内パイプ８３の両先端は厚肉筒状の先端部材８５に対し着脱自在に固定され、外パイプ８２と内パイプ８３の両後端は厚肉筒状の口金部材８６に対し着脱自在に固定されている。外パイプ８２の先端は先端部材８５にねじ込み、外パイプ８２の後端は口金部材８６にねじ込まれる。内パイプ８３の先端は先端部材８５に対し液密に嵌め込み、外パイプ８２の後端は口金部材８６に対し液密に嵌め込まれる。
【００２５】
外パイプ８２と内パイプ８３は内部を透視できるように透明な材料によって形成してもよい。先端部材８５と口金部材８６も透明な材料で形成してもよいが、ここでは金属製で不透明なものである。本明細書において口金というときそれは金属材料に限定することを意味しない。
【００２６】
内パイプ８３の中間部壁部には複数の噴出口（送水口）８７がパイプ周方向に等間隔で並び、さらにその複数の列がパイプ軸方向にも並んで形成されている。複数の噴出口８７を配設した内パイプ８３内の領域は洗浄対象を配置する洗浄域８８になる。外パイプ８２と内パイプ８３間には隙間があけられていて、この隙間によって洗浄水を噴出口８７に分配する供給路８９を形成している。
【００２７】
上記先端部材８５はその内孔によって洗浄カバー８１内に通じる排出口９０を形成し、この排出口９０によって、洗浄カバー８１内の洗浄水を外へ排出するようになっている。
【００２８】
上記口金部材８６には１つ以上の供給口金９１が取り付けられている。各供給口金９１から上記供給路８９に洗浄水を供給するようになっている。各供給口金９１には処置具用洗浄機に組み込んだ送水タンクや送水ポンプ等の送水源に通じる図示しない２本の送水チューブが別々に接続する。
【００２９】
上記口金部材８６の後端部には上記外科用処置具の先端部分に係着し、上記洗浄カバー８１を保持する固定手段が設けられている。上記口金部材８６の後端部内孔には弾性チューブ９２を嵌め込み、嵌め込み領域の内方端には弾性チューブ９２の内端を受ける突当て部９３が形成されている。口金部材８６の後端部には押込み環９５がねじ込まれ、この押込み環９５の鍔９６を弾性チューブ９２の外端に当てるようにようになっている。押込み環９５を口金部材８６にねじ込むと、弾性チューブ９２を軸方向に押し込み、軸方向に弾性チューブ９２を圧縮して弾性チューブ９２の内径を縮小させることができる。
【００３０】
次に、本実施形態の洗浄装置８０を用いて上記超音波処置装置１を洗浄する場合の手順と作用について説明する。
【００３１】
超音波処置装置１は、ハンドルユニット２、プローブユニット３及び振動子ユニット４を図１に示す状態に組み立てて使用される。そして、超音波処置装置１を使用すると、超音波処置装置１は汚れる。このため、使用の都度、洗浄する必要がある。ここで、超音波処置装置１の表面の大まかな汚れは処置具洗浄機等によるシャワー洗浄や流水中に晒してもある程度速やかに落とすことができるが、上記先端作用部２１のような処置部は特に複雑な形状の部分であるために汚れの付き具合が強く、この汚れを落とすにはシャワー洗浄や流水中に晒しただけでは洗浄効率が悪いものである。
【００３２】
そこで、本実施形態の洗浄装置８０を用いて、上記先端作用部２１の汚れを落とす。超音波処置装置１を洗浄するときは図８に示すように上記超音波処置装置１のハンドルユニット２からプローブユニット３を取り外し、ハンドルユニット２の挿入シース部１７における先端部分に洗浄カバー８１を装着する。すなわち、図７（ａ）（ｂ）に示すように、プローブユニット３を取り外したハンドルユニット２の挿入シース部１７の先端部分を、本洗浄装置８０の洗浄カバー８１内に差し込んで洗浄域８８に先端作用部（処置部）２１を位置させる。
【００３３】
次に、図８（ａ）（ｂ）に示すように押込み環９５をねじ込み、押込み環９５の鍔９６で弾性チューブ９２を軸方向に圧縮して弾性チューブ９２の内径を縮小させる。すると、弾性チューブ９２が、これに差し込まれた挿入シース部１７の外周を締め付け、挿入シース部１７に洗浄カバー８１を固定する。弾性チューブ９２で挿入シース部１７を弾性的に締め付けるので、絶縁チューブ６３で保護された挿入シース部１７の外面処理層の損傷を防ぐことができる。
【００３４】
ついで、各供給口金９１に対し送水源に通じる送水チューブ等の供給管路手段をそれぞれ個別に接続する。送水源としては超音波処置装置等の処置具を設置してシャワー洗浄や流水洗浄を遂行する処置具用洗浄機に組み込んだ送水タンクや送水ポンプ等を利用することができる。送水源に通じる図示しない送水チューブを供給口金９１に接続する。
【００３５】
そして、送水チューブ等を通して送水源から加圧した高圧の洗浄水が供給路８９を通じて各噴出口８７に分配され、各噴出口８７から洗浄域８８に位置する先端作用部（処置部）２１に向けて周囲から高圧の洗浄水を噴き付ける。先端作用部２１にはその周囲から高圧の洗浄水が勢いよく噴き付けられるので、固い汚れも落とすことができると共にむらなく隅々まで確実に洗浄することができる。また、複数の供給口金９１から供給路８９に洗浄水を供給するので、高圧の洗浄水を各噴出口８７に対し均等に分配し、強力で全周的な洗浄ができる。
【００３６】
この洗浄は洗浄装置８０を装着した超音波処置装置１と共に洗浄機の洗浄槽内や洗浄器の洗浄皿内に設置し、超音波処置装置１の外観部分もシャワー洗浄や流水中に晒して同時に洗浄することが望ましい。
【００３７】
尚、洗浄装置８０の各部品はねじ込み部の結合部を外せば全てを分解することができ、特に、先端部材８５と口金部材８６と外パイプ８２と内パイプ８３は外パイプ８２とから先端部材８５と口金部材８６を外すことによって容易に分解することができる。このため、それらの部品の洗浄も容易である。
【００３８】
（第２の実施形態）
図９及び図１０を参照して本発明の第２の実施形態に係る洗浄装置について説明する。本実施形態において第１の実施形態と同様な個所には同一符号を付して詳細な説明を省略する。
【００３９】
本実施形態に係る洗浄装置１００は図９及び図１０に示すように、筒状体１０１の前端と後端にはその筒状体１０１の開口をそれぞれ塞ぐように前端板１０２と後端板１０３を取り付けて洗浄領域を包囲する洗浄カバー１０４を構成する。前端板１０２と後端板１０３は筒状体１０１の前端部と後端部に対してねじ込み、着脱自在に取り付けられている。
【００４０】
上記後端板１０３には上記外科用処置具の先端部分に係着し、上記洗浄カバー１０４を上記外科用処置具に保持させる固定手段が設けられている。固定手段は上記超音波処置装置１の挿入シース部１７を挿通する保持筒１１５を有し、この保持筒１１５は上記洗浄カバー１０４と同軸的に配置され、上記超音波処置装置１の挿入シース部１７を挿通するようになっている。保持筒１１５は前端が後端板１０３にねじ込まれ、後端板１０３に対し着脱自在に固定されている。
【００４１】
図１０に示すように保持筒１１５内には弾性チューブ１１６が嵌め込まれている。弾性チューブ１１６の外周の一部を保持筒１１５の内面に形成したねじ部１１７に噛み付け、必要に応じて接着することにより、弾性チューブ１１６は保持筒１１５に固定されている。上記超音波処置装置１の挿入シース部１７を保持筒１１５に挿通すると、挿入シース部１７の外周に弾性チューブ１１６が圧接し、挿入シース部１７に係着するようになっている。
【００４２】
上記洗浄カバー１０４の前端板１０２には供給口金１２１が洗浄カバー１０４と同軸的に配置され、前端板１０２にねじ込むことにより取り付けられている。供給口金１２１には、送水源に通じる送水チューブ等の供給管路手段が接続される。供給口金１２１の内端は洗浄カバー１０４内の洗浄領域に向けて開口した送水口１２２を形成する。そして、供給口金１２１と保持筒１１５を洗浄カバー１０４の中心軸上に配置し、保持筒１１５による保持軸と送水口１２２の噴出方向が一致するように構成されている。
【００４３】
上記洗浄カバー１０４の筒状体１０１、前端板１０２及び後端板１０３にはそれぞれ排出口１２５が形成され、これらの排出口１２５によって洗浄カバー１０４内の洗浄領域に溢れた洗浄水を洗浄カバー１０４の外へ排出するようになっている。
【００４４】
本実施形態に係る洗浄装置１００を使用する場合、前述した第１の実施形態の場合と同様、プローブユニット３を取り外したハンドルユニット２における挿入シース部１７の先端部を保持筒１１５内に差し込み、先端作用部（処置部）２１が洗浄カバー１０４内の洗浄領域に位置するように位置決めする。
【００４５】
送水源に通じる送水チューブ等の供給管路手段を通じて供給口金１２１の内端に開口した送水口１２２から洗浄カバー１０４内の洗浄領域に向けて高圧の洗浄水を先端作用部２１に噴き付ける。先端作用部２１には高圧の洗浄水が勢いよく噴き付けられるので強力な汚れも落とす。また、洗浄カバー１０４内に溢れた洗浄水は排出口１２５によって洗浄カバー１０４の外へ排出される。洗浄対象を包囲する洗浄カバー１０４には各壁部にそれぞれ排出口１２５が形成されているので、洗浄カバー１０４が如何なる配置で設置されていてもいずれかの排出口１２５を通じて洗浄カバー１０４の外へ洗浄水を排出できる。したがって、洗浄カバー１０４内に洗浄水が留まることがなく、洗浄効率を高める。
【００４６】
この洗浄は洗浄装置１００を装着した超音波処置装置１と共に洗浄機の洗浄槽内や洗浄器の洗浄皿内に設置し、超音波処置装置１の外観部分もシャワー洗浄や流水中に晒して同時に洗浄することが望ましい。
【００４７】
尚、洗浄装置１００の各部品はねじ込み部の結合部を外せば全てを分解することができ、それらの洗浄も容易である。
【００４８】
（第３の実施形態）
図１１及び図１２を参照して本発明の第３の実施形態に係る洗浄装置について説明する。本実施形態において第１の実施形態および第２の実施形態と同様な個所には同一符号を付して詳細な説明を省略する。
【００４９】
本実施形態の洗浄装置１３０は外科用処置具に保持させる固定手段のみが第２の実施形態と相違する。すなわち、保持筒１１５の内面から保持筒１３１の基端部外周まで密に嵌め込まれる弾性チューブ１３２を設け、弾性チューブ１３２を形成するゴム部材を保持筒１３１に対しインナー成型するようにしたものである。弾性チューブ１３２の内端には挿入シース部１７の外周に当るリブ１３３を設け、挿入シース部１７に対する係着力を高めるようにした。
【００５０】
（第４の実施形態）
図１３乃至図１６を参照して本発明の第３の実施形態に係る洗浄装置について説明する。本実施形態に係る洗浄装置１４０は前述した第２の実施形態に係る洗浄装置１００における前端板１０２を除去し、筒状体１０１の前端開口を開放して、この前端開口を排出口１４１とした洗浄カバー１４２を構成した。第２の実施形態に係る洗浄装置１００での排出口１２５は設けない。また、洗浄カバー１４２の筒状体１０１には複数の供給口金１４３が設けられ、供給口金１４３の内端は筒状体１０１の内面において開口する噴出口（送水口）１４５を形成する。各噴出口１４５はいずれも洗浄カバー１４２内の洗浄対象を配置する洗浄域を囲み、その周囲からその洗浄域に向くように配置される。ここでは３本の供給口金１４３が設けられ、供給口金１４３は洗浄カバー１４２の中心から均等に３方向へ放射する向きで配置されている。
【００５１】
本実施形態の洗浄装置１４０を使用する場合、洗浄カバー１０４内に配置される洗浄対象の先端作用部２１に向けて３つの噴出口１４５から高圧の洗浄水を噴き付け、かつ周囲の３方向から洗浄水を噴き付ける洗浄が可能であるので、強力な汚れも落とすことができると共にむらなく隅々まで強力に洗浄することができる。
【００５２】
また、洗浄カバー１０４内に溢れた洗浄水は前方に大きく開いた排出口１４１から洗浄カバー１０４の外へ排出できる。その他は前述した実施形態に係る洗浄装置のものと同様である。
尚、本発明は前述した各実施形態のものに限定されるものではない。
【００５３】
【発明の効果】
以上説明したように本発明の洗浄装置によれば、外科用処置具の，特に強く汚れ易い処置部を効率よく洗浄できる。
【図面の簡単な説明】
【図１】超音波処置装置の組み立て状態の側面図。
【図２】上記超音波処置装置のハンドルユニットの側面図。
【図３】上記超音波処置装置のプローブユニットと振動子ユニットの側面図。
【図４】（ａ）は上記超音波処置装置のハンドルユニットにおける挿入シース部の縦断面図、（ｂ）は上記ハンドルユニットにおける挿入シース部の（ａ）図中Ａ−Ａ線に沿う横断面図、（ｃ）は上記ハンドルユニットにおける挿入シース部の（ａ）図中Ａ部付近の縦断面図。
【図５】上記超音波処置装置のハンドルユニットにおける操作部の縦断面図。
【図６】本発明の第１の実施形態に係る洗浄装置全体の側面図。
【図７】（ａ）は上記洗浄装置の縦断面図、（ｂ）は（ａ）中Ｂ−Ｂ線に沿う横断面図。
【図８】（ａ）は上記超音波処置装置に装着した状態での上記洗浄装置の縦断面図、（ｂ）は（ａ）中Ｂ−Ｂ線に沿う横断面図。
【図９】本発明の第２の実施形態に係る洗浄装置全体の側面図。
【図１０】同じく第２の実施形態に係る洗浄装置の使用状態での縦断面図。
【図１１】本発明の第３の実施形態に係る洗浄装置全体の側面図。
【図１２】同じく第３の実施形態に係る洗浄装置の使用状態での縦断面図。
【図１３】本発明の第４の実施形態に係る洗浄装置全体の側面図。
【図１４】同じく第４の実施形態に係る洗浄装置の背面図。
【図１５】同じく第４の実施形態に係る洗浄装置の使用状態での縦断面図。
【図１６】同じく第４の実施形態に係る洗浄装置の使用状態での横断面図。
【符号の説明】
１…超音波処置装置
２…ハンドルユニット
１７…挿入シース部
２１…先端作用部
８０…洗浄装置
８１…洗浄カバー
８２…外パイプ
８３…内パイプ
８５…先端部材
８６…口金部材
８７…噴出口
８８…洗浄域
８９…供給路
９０…排出口
９１…供給口金
９２…弾性チューブ
９５…押込み環
【図１】
2004105283.tif 000003
【図２】
2004105283.tif 000004
【図３】
2004105283.tif 000005
【図４】
2004105283.tif 000006
【図５】
2004105283.tif 000007
【図６】
2004105283.tif 000008
【図７】
2004105283.tif 000009
【図８】
2004105283.tif 000010
【図９】
2004105283.tif 000011
【図１０】
2004105283.tif 000012
【図１１】
2004105283.tif 000013
【図１２】
2004105283.tif 000014
【図１３】
2004105283.tif 000015
【図１４】
2004105283.tif 000016
【図１５】
2004105283.tif 000017
【図１６】
2004105283.tif 000018